(57)【要約】【課題】電気掃除機本体が転倒しにくい使用性の向上した電気掃除機を提供すること。【解決手段】集塵ケース５が、側面下部に開口した吸引口６と、前記吸引口６より上方の前記塵埃分離部に設けた旋回気流導入口１０と、前記吸引口６と前記旋回気流導入口１０とを連通させる第１の通風路１１とを備えることによって、ホースの引っ張りによる掃除機本体１の引き回しを低い位置で行うことができ、掃除機本体１を方向転換するためにホースを左右に振ったときに、掃除機本体１が転倒することなくスムーズに方向転換することができる。また、第１の通風路１１を集塵ケース５内に収めているため、集塵ケース５が大型化することなく、障害物に引っ掛かったりせず、スムーズに操作ができ使用性の向上した電気掃除機を提供することができる。【選択図】図２
2010022506.tif 000002
【特許請求の範囲】
【請求項１】
電動送風機と、前記電動送風機の上流側に設置され、前記電動送風機により吸引した塵埃を含む空気を導入し前記塵埃を分離する塵埃分離部および前記塵埃分離部で分離された塵埃を収容する塵埃収容部から成る集塵ケースとを備え、前記塵埃分離部には一部に濾過フィルターを有し吸引した塵埃を含む空気を旋回気流として流す旋回気流通風路を設けた電気掃除機において、前記集塵ケースが、側面下部に開口した吸引口と、前記吸引口より上方の前記塵埃分離部に設けた旋回気流導入口と、前記吸引口と前記旋回気流導入口とを連通させる第１の通風路とを備えることによって、前記吸引より吸引した塵埃を含む空気を前記旋回気流導入口から前記塵埃分離部内に導入することで旋回気流を発生するようにした電気掃除機。
【請求項２】
第１の通風路を、吸引口から上方の旋回気流導入口まで略垂直方向に構成した請求項１に記載の電気掃除機。
【請求項３】
第１の通風路において、吸引口近傍に屈曲部を設けることで、吸引口から上方の旋回気流導入口まで略垂直方向に構成した請求項２に記載の電気掃除機。
【請求項４】
第１の通風路の屈曲部と塵埃収容部とを一体成型で構成した請求項３に記載の電気掃除機。
【請求項５】
第１の通風路を塵埃分離部に有した濾過フィルターの一部を貫通して通る様に構成し、濾過フィルターには、第１の通風路の経路の一部となる通風路が、濾過フィルターの風路とは独立しエアータイトされた形で設けた請求項１〜４のいずれか１項に記載の電気掃除機。
【請求項６】
集塵ケースを略円筒形状とし、第１の通風路を前記集塵ケースに内包するように構成した請求項１〜５のいずれか１項に記載の電気掃除機。
【請求項７】
第１の通風路の少なくとも一部を集塵ケースから突出させ、前記第１の通風路を下方の吸引口から上方の旋回気流導入口へ連通させることを特徴とする請求項１に記載の電気掃除機。
【発明の詳細な説明】
【技術分野】
【０００１】
本発明は、電気掃除機本体の操作性能と吸込み力性能を改善し、使用性を向上させた電気掃除機に関するものである。
【背景技術】
【０００２】
従来、この種の電気掃除機としては、ホース接続部を上部に備えたサイクロン掃除機が知られている（例えば、特許文献１参照）。また、ホース接続部を上部に備えているが、ホースを一度下部に固定した上で、このホースを本体の外郭を通って上部のホース接続部に接続させるサイクロン掃除機が知られている（例えば、特許文献２参照）。
【特許文献１】特開２００４−１５４４８３号公報
【特許文献２】特表２００７−５３５３５４号公報
【発明の開示】
【発明が解決しようとする課題】
【０００３】
しかしながら、前記従来の構成では、上部から吸引風を導入し旋回流を発生させて下方に塵埃分離部で分離された塵埃を収容する塵埃収容部を設けているサイクロン掃除機において、吸込口を上部に設けているために方向転換しようとホースを左右に振ったときに本体が転倒して床面を傷つけやすいという課題を有していた。また、転倒しにくくするためにホースを一度下部に固定し上部まで集塵ケースの外郭を通って設けると集塵ケースが大型化しかえって使用性低下するという課題を有していた。
【０００４】
本発明は、前記従来の課題を解決するもので、本体が転倒しにくい使用性を向上させた電気掃除機を提供することを目的とする。
【課題を解決するための手段】
【０００５】
前記従来の課題を解決するために、本発明の電気掃除機は、電動送風機と、前記電動送風機の上流側に設置され、前記電動送風機により吸引した塵埃を含む空気を導入し前記塵埃を分離する塵埃分離部および前記塵埃分離部で分離された塵埃を収容する塵埃収容部から成る集塵ケースとを備え、前記塵埃分離部には一部に濾過フィルターを有し吸引した塵埃を含む空気を旋回気流として流す旋回気流通風路を設けた電気掃除機において、前記集塵ケースが、側面下部に開口した吸引口と、前記吸引口より上方の前記塵埃分離部に設けた旋回気流導入口と、前記吸引口と前記旋回気流導入口とを連通させる第１の通風路とを備えることによって、前記吸引より吸引した塵埃を含む空気を前記旋回気流導入口から前記塵埃分離部内に導入することで旋回気流を発生するようにした電気掃除機としたものである。
【０００６】
このような発明によって、吸引口を下部に設けることにより、ホースの引っ張りによる掃除機本体の引き回しを低い位置で行うことができ、掃除機本体を方向転換するためにホースを左右に振ったときに、掃除機本体が転倒することなくスムーズに方向転換することができる。また、第１の通風路を集塵ケース内に収めているため、集塵ケースが大型化することなく、障害物に引っ掛かったりせず、スムーズに操作ができ使用性の向上した電気掃除機を提供することができる。
【発明の効果】
【０００７】
本発明の電気掃除機は、掃除作業中本体が転倒したり、障害物に引っ掛かったりせず、スムーズに操作ができ、かつ吸引力性能が高い、使用性が向上した電気掃除機を提供することができる。
【発明を実施するための最良の形態】
【０００８】
第１の発明は、電動送風機と、前記電動送風機の上流側に設置され、前記電動送風機により吸引した塵埃を含む空気を導入し前記塵埃を分離する塵埃分離部および前記塵埃分離部で分離された塵埃を収容する塵埃収容部から成る集塵ケースとを備え、前記塵埃分離部には一部に濾過フィルターを有し吸引した塵埃を含む空気を旋回気流として流す旋回気流通風路を設けた電気掃除機において、前記集塵ケースが、側面下部に開口した吸引口と、前記吸引口より上方の前記塵埃分離部に設けた旋回気流導入口と、前記吸引口と前記旋回気流導入口とを連通させる第１の通風路とを備えることによって、前記吸引より吸引した塵埃を含む空気を前記旋回気流導入口から前記塵埃分離部内に導入することで旋回気流を発生するようにしたことにより、吸引口が下部に設けられホースの引っ張りによる掃除機本体の引き回しを低い位置で行うことができ、掃除機本体を方向転換するためにホースを左右に振ったときに、掃除機本体が転倒することなくスムーズに方向転換することができる。また、第１の通風路を集塵ケース内に収めているため、集塵ケースが大型化することなく、障害物に引っ掛かったりせず、スムーズに操作ができ使用性の向上した電気掃除機を提供することができる。
【０００９】
第２の発明は、特に第１の発明における第１の通風路を、吸引口から上方の旋回気流導入口まで略垂直方向に構成したことにより、吸引口から旋回気流導入口までを最短距離で構成でき、第１の通風路内での圧力損失を少なくすることができ、より吸引力が大きく、また、集塵ケースの大きさも小さい電気掃除機を提供することができる。
【００１０】
第３の発明は、特に第２の発明における第１の通風路において、吸引口近傍に屈曲部を設けることで、吸引口から上方の旋回気流導入口まで略垂直方向に構成したことにより、滑らかに下方から上方へ空気を搬送し、衝突時の圧力損失を少なくすることができ、より吸引力が大きい電気掃除機を提供することができる。
【００１１】
第４の発明は、特に第３の発明における第１の通風路の屈曲部と塵埃収容部とを一体成型で構成したことにより、屈曲部と塵埃収容部が同じ１つの部品で構成できるため、屈曲部と塵埃収容部が２重壁にならず第１の通風路の断面積を最大限大きく確保して圧力損失を少なくすることができ、また部品点数の少ない安価、軽量で組立性の優れた電気掃除機を提供することができる。
【００１２】
第５の発明は、特に第１から第４の発明における第１の通風路を塵埃分離部に有した濾過フィルターの一部を貫通して通る様に構成し、濾過フィルターには、第１の通風路の経路の一部となる通風路が、濾過フィルターの風路とは独立しエアータイトされた形で設けたことにより、第１の通風路の一部を第２の濾過フィルター部品内で一体に構成できるため、別手段である第１の通風路の一部を別部品にした場合における、第２の濾過フィルターの貫通部内壁との２重壁をなくし、第２の濾過フィルターの通気断面積を最大限大きくでき、圧力損失を少なくすることができる。また部品点数の少ない安価、軽量で組立性の優れた電気掃除機を提供することができる。
【００１３】
第６の発明は、特に第１から第５の発明における集塵ケースを略円筒形状とし、第１の通風路を前記集塵ケースに内包するように構成したことにより、集塵ケース外郭部が略円筒状であるため、電気掃除機を操作中集塵ケースが障害物に接触したときに障害物にひっかからずにスムーズに操作することができる使用性の向上した電気掃除機を提供することができる。
【００１４】
第７の発明は、特に第１の発明における第１の通風路の少なくとも一部を集塵ケースから突出させ、前記第１の通風路を下方の吸引口から上方の旋回気流導入口へ連通させたこ
とにより、第１の通風路によって、第２の濾過フィルターの一部に貫通する濾過フィルター風路とは独立した通風路を設ける必要がなくなるため、第２の濾過フィルターが全周にわたって途切れることなく設けれることで、圧力損失を少なくすることができ、より吸引力が大きい電気掃除機を提供することができる。
【００１５】
以下に本発明の実施の形態について図面を参照しながら説明する。なお、本実施の形態によって本発明が限定されるものではない。
【００１６】
（実施の形態１）
図１、図２は、本発明の実施の形態１における電気掃除機を示している。
【００１７】
図２に示すように、掃除機本体１内には、吸引気流を発生させる電動送風機２１が内蔵されており、また、掃除機本体１の外部には、車輪３およびキャスター４が取り付けられており、床面を自在に移動できる。さらに、電動送風機２１の上流側には、通気口を有する隔壁２６を介して、電動送風機２１により吸引した塵埃を含む空気を導入する集塵ケース５が掃除機本体１に対して着脱自在に設置されている。
【００１８】
また、集塵ケース５は、略円筒で縦方向に３段構成となっており上段から順に、ケース上部２２ａ、ケース中央部２２ｂ、塵埃収容部２４からなり、このケース上部２２ａとケース中央部２２ｂとを塵埃分離部２３とするものである。
【００１９】
また、図１、図２に示すように、ケース上部２２ａには塵埃を含む空気を接線方向より導入する旋回気流導入口１０を備えている。
【００２０】
そして、掃除機本体１の下部に設けた吸引口６から旋回気流導入口１０に連通するように、集塵ケース５には、第１の通風路１１を備えており、この第１の通風路１１には、通風経路を吸引口６から上方の旋回気流導入口１０まで吸引気流の損失軽減を図りながら略垂直方向に立ち上げる大きなＲ部を有した屈曲部１２を設けている。
【００２１】
この屈曲部１２を設けることにより滑らかに下方から上方へ空気を搬送し、衝突時の圧力損失を少なくすることができ、さらに、この屈曲部１２で第１の通風路１１の通風経路を略垂直に構成することにより、吸引口６から旋回気流導入口１０までを最短距離で構成でき、第１の通風路１１内での圧力損失も少なくすることができ、より吸引力が大きく、また、集塵ケース５の大きさも小さい電気掃除機を提供することができる。
【００２２】
なお、実施の形態１では、第１の通風路１１である大きなＲ部を有した屈曲部１２を塵埃収容部２４に一体成形にて形成しており、屈曲部１２と塵埃収容部２４が同じ１つの部品で構成できるため、屈曲部１２と塵埃収容部２４が２重壁にならず第１の通風路１１の断面積を最大限大きく確保して圧力損失を少なくすることができ、また部品点数の少ない安価、軽量で組立性の優れた電気掃除機を提供することができる。
【００２３】
集塵ケース５は、旋回気流導入口１０から最下段の塵埃を堆積させる塵埃収容部２４まで連通されており、旋回気流導入口１０から電動送風機２１に至る風路は、集塵ケース５の塵埃分離部２３に設けた開口部２５にて掃除機本体１の隔壁２６と連通させて形成している。さらには塵埃分離部２３には、円筒状の濾過フィルター２７を設置している。
【００２４】
この円筒状の濾過フィルター２７は、本実施の形態１では、上流側に粗塵フィルターからなる円筒形状の第１の濾過フィルター２７ａと、この第１の濾過フィルターより下流側の外周に設けた細塵フィルターからなる円筒形状の第２の濾過フィルター２７ｂとの２層構造から構成されている。
【００２５】
この第１の濾過フィルター２７ａと第２の濾過フィルター２７ｂは、集塵ケース５の旋回気流導入口１０と電動送風機２１とが連通する第１の風路である主風路２９ａおよび第２の風路である副風路２９ｂの途中に配置している。
【００２６】
また、旋回気流導入口１０から電動送風機２１に至る主風路２９ａは、第１の濾過フィルター２７ａ内から第２の濾過フィルター２７ｂ外周の空間全周にわたり設けられている。
【００２７】
また上記第１の通風路１１は、集塵ケース５内部に設けた第２の濾過フィルター２７ｂの一部を貫通して通る様に構成されており、この第２の濾過フィルター２７ｂには、第１の通風路１１の経路の一部となる通風路が、濾過フィルターの風路とは独立し、エアータイトされた形で設けられている。
【００２８】
そして、この様な構成にすることで、第１の通風路１１の一部を第２の濾過フィルター２７ｂ部品内で一体に構成できるため、別手段である第１の通風路１１の一部を別部品にした場合における、第２の濾過フィルター２７ｂの貫通部内壁との２重壁をなくし、第２の濾過フィルター２７ｂの通気断面積を最大限大きくし圧力損失を少なくすることができる。また部品点数の少ない安価、軽量で組立性の優れた電気掃除機を提供することができる。
【００２９】
また、図１に示すように吸引口６には、ホース７、延長管８が順次接続されており、延長管８の先端に吸込具９を取り付けており、電動送風機２１を運転することにより、家屋内の床面上の塵埃を吸引することができる。
【００３０】
そして、本実施の形態１の様に吸引口６を下部に設けることにより、ホース７の引っ張りによる掃除機本体１の引き回しを低い位置で行うことができ、掃除機本体１を方向転換するためにホースを左右に振ったときに、掃除機本体１が転倒することなくスムーズに方向転換することができる。
【００３１】
また、第１の通風路１１を集塵ケース５内に収めているため、集塵ケース５が大型化することなく使用性の向上した電気掃除機を提供することができる。
【００３２】
さらに、集塵ケース５外郭部が略円筒状であるため、電気掃除機１を操作中集塵ケース５が障害物に接触したときに障害物にひっかからずにスムーズに操作することができる使用性の向上した電気掃除機を提供することができる。
【００３３】
次に、図３（ａ）、図３（ｂ）、図３（ｃ）、図３（ｄ）により、集塵ケース５と円筒状の濾過フィルター２７の詳細について説明する。
【００３４】
図３（ａ）に示すように、集塵ケース５は、略円筒で縦方向に３段構成となっており、上段から順に、ケース上部２２ａ、ケース中央部２２ｂ、塵埃収容部２４からなり、このケース上部２２ａとケース中央部２２ｂとを塵埃分離部２３とするものである。
【００３５】
図３（ｃ）に示すように、旋回気流導入口１０は、ケース上部２２ａの断面である円筒内面１３の接線方向から気流が流入するように、内面１３に接する様に風向ガイド３４を設けかつ、第１の通風路１１の中心とケース上部２２ａの円周中心を結ぶ線上よりも下方に偏心させた位置に配置させている。
【００３６】
旋回気流を発生させるためには、旋回気流通風路を略円筒状、好ましくは円筒状に形成
し、その旋回気流通風路の内壁面で、かつ、周方向に沿って旋回する気流が発生するように旋回気流導入口１０を形成する。すなわち、旋回気流導入口１０の吸引方向が、その内壁面の周方向に沿って流れるように円筒状の軸方向と直交する方向で、円筒状の接線方向としている。
【００３７】
そしてこの様な構成により、塵埃分離部２３におけるケース上部２２ａ内面に沿って発生した旋回気流ならびに、第１の濾過フィルター２７ａ内の円筒中空部に発生した旋回気流を形成する通路を旋回気流通風路とするものである。
【００３８】
また、旋回気流通風路に旋回気流が発生するには、当然のことながら旋回気流通風路内に電動送風機２１の吸引力が作用し、負圧状態を発生させる必要がある。そのため、略円筒状の旋回気流通風路の天井側を集塵ケース５の天部で覆い、他端側が塵埃収容部と気密に接続し、少なくとも旋回気流通風路内に配置した濾過フィルター２７部分から電動送風機の吸引力を作用させるようにすればよい。
【００３９】
また発生した旋回気流を塵埃収容部２４方向に発生させるよう、ケース上部２２ａに設けた旋回気流導入口１０の配置は、塵埃分離部２３に設けた開口部２５の上端部より、旋回気流導入口１０の下端部が上方になるよう配置されているものである。
【００４０】
この様に旋回気流導入口１０の配置位置を開口部２５より高くすることで、旋回気流導入口１０からケース上部２２ａの内面１３の接線方向より導入された空気は、開口部２５側の吸引力作用で下方向である塵埃収容部２４方向への旋回気流として発生する。この旋回しながら下降を続ける旋回気流により、綿ゴミなどの粗塵５２は風圧を受けて旋回下降し塵埃収容部２４に導かれるものである。
【００４１】
さらに、集塵ケース５のケース上部２２ａの内面１３は、円筒状の濾過フィルター２７を構成する内側の第１の濾過フィルター２７ａの内面と全体として１つの面となっている。すなわち、集塵ケース５の内面に突出した突起物がない状態となっている。
【００４２】
本実施の形態１では、集塵ケース５を略円筒としたが、円筒は真円に限定せず楕円形状、８角形や１０角形などの多角形形状等でもよく、旋回気流導入口１０より接線方向から流入した気流が、集塵ケース５の内面に沿って旋回気流が生じる形状であれば良い。
【００４３】
また、円筒状の濾過フィルター２７においても同様に、円筒は真円に限定せず楕円形状や８角形や１０角形などの多角形形状等でもよく、集塵ケース５の内面に沿って発生した旋回気流が、第１の濾過フィルター２７ａ内の円筒中空部においても発生し得る形状であれば良い。また、旋回気流導入口１０が上述の様に偏心させず中央に位置していても案内路やガイド等で旋回気流が発生する構成であれば構わない。
【００４４】
集塵ケース５の下部には、吸引した塵埃を堆積させる塵埃収容部２４が設けられており、さらに、図３（ａ）に示すように、塵埃収容部２４側の集塵ケース５の底面は、開閉蓋３１となっており、ヒンジ３２を介して、開閉蓋３１を開き、塵埃収容部２４内の塵埃を排出できるよう構成されている。
【００４５】
また、集塵ケース５は本実施の形態１ではアクリル樹脂により構成されているが、少なくともその一部を透視部材で構成することにより、上方などより内部の塵埃量などを目視で容易に確認できるので好ましい。透明部材としては、ＡＢＳ、ポリプロピレン、アクリル樹脂などが部材として容易に入手でき、加工性が良い点で好ましい。
【００４６】
また、図３（ｂ）、（ｃ）、（ｄ）に示すように、円筒形状の集塵ケース５の内側には
、旋回気流導入口１０から塵埃収容部２４の間の範囲で、集塵ケース５と円筒状の濾過フィルター２７間の外側全周にわたり設けた第２の通風路３３が形成されており、集塵ケース５内部と電動送風機２１の吸引口がこの第２の通風路３３を介して連通している。そして、第１の通風路１１および第２の通風路３３は、集塵ケース５に内包されるように構成されているものである。
【００４７】
円筒状の濾過フィルター２７は、図３（ｄ）に示すように、円筒形状の集塵ケース５内部を取り囲むように円筒形状となっている。吸引気流に対して上流側に位置する粗塵フィルターからなる第１の濾過フィルター２７ａは、吸引気流中の塵埃から綿埃、毛髪などの比較的サイズの大きい塵埃を除塵するものであり、下流側に位置する細塵フィルターからなる第２の濾過フィルター２７ｂは、粒子径の細かい砂塵、花粉、ダニ糞などの塵埃を気流中から除塵するものである。
【００４８】
このように、除塵する塵埃のサイズに応じて複数層の円筒状の濾過フィルター２７を設けることで、濾過フィルターの目詰まりの頻度を低減し、風量持続性能を延ばすことができるが、単一層であっても構わない。
【００４９】
この第１の濾過フィルター２７ａとしては、金属メッシュ、パンチングメタル、樹脂メッシュなど、砂塵などの細塵が通り抜けられる比較的孔径の大きな部材を用いるのが好ましく、本実施の形態１では、貫通孔径が１００〜３００ミクロンの微小な開口の貫通孔を設けた金属メッシュを用いている。
【００５０】
一方、第２の濾過フィルター２７ｂとしては、不織布、パルプ、ガラス繊維、ＨＥＰＡフィルターなどを用いることができるが、比較的細かい粒子を効率よく除去できる不織布部材などをプリーツ加工しひだ折りした形状部材を連結し、円筒状に設置することで、通気抵抗を低減しながら、除塵性能を確保することができる。
【００５１】
また塵埃付着面に、ＰＴＦＥの多孔質部材をコーディングしたフィルターを用いると、塵離れが良くなることから、第２の濾過フィルター２７ｂの目詰まりを抑制することができる点でより好ましい。
【００５２】
図４は、図３（ｄ）中の円筒状の第１の濾過フィルター２７ａの断面構造を示す断面図であり、図４に示すように、円筒状の第１の濾過フィルター２７ａは、内周面を上流側フィルター面６１とし、外周面を下流側フィルター面６２とした時、第１の濾過フィルター２７ａの内周側は塵埃収容部２４の上方の空間に位置するものであり、その空間には旋回気流５０が上流側フィルター面６１に沿って旋回している。
【００５３】
そして、第１の濾過フィルター２７ａの外周側は第１の濾過フィルター２７ａを通過した空気の通風路となり、その通風路中に第２の濾過フィルター２７ｂが配置され、その下流に電動送風機２１が配置される。
【００５４】
また、第１の濾過フィルター２７ａは、上流側フィルター面６１から下流側フィルター面６２までを貫通する傾斜した複数の貫通孔２８が、フィルター面のほぼ全域にわたって分散して形成されている。
【００５５】
第１の濾過フィルター２７ａの基材として金属板を用いた場合、静電気によって塵埃が第１の濾過フィルター２７ａに付着すること、特に細塵が付着することを抑制することができ、貫通孔２８の目詰まりを起こしにくい。また、金属板の基材は、パンチングやエッチングなどの加工性に優れ、貫通孔２８の内部形状が滑らかに成形されるから、塵埃の絡みつきを少なくする効果が得られる。
【００５６】
さらに、板状のフィルターを円筒状にする際にも成形が容易であり、第１の濾過フィルター２７ａを安価に成形することができる。なお、第１の濾過フィルター２７ａの基材として、静電防止剤やカーボンブラック、金属の微粉等の静電防止材を含有した樹脂板を用いても、金属板を用いた場合と同様の効果が得られる。
【００５７】
図５は図３（ｄ）に示す第２の濾過フィルター２７ｂの一部を拡大した要部断面図である。
【００５８】
本実施の形態１では、図３（ｄ）および図５に示すように、特に、ＰＥＴ樹脂で剛性を持たせたシート状の濾材の上流側に貫通孔径が約０．５ミクロンのＰＴＦＥ膜を付着させたフィルターをプリーツ加工し、ひだ折り形状のフィルター４１にし、両端部を連結して円筒形状にしたものを用いている。
【００５９】
なお、ひだ折り形状のフィルター４１からなる第２の濾過フィルター２７ｂの外周部において、吸引気流の上流側にあたるひだ折り形状部材の内面のくぼみ部４２は略Ｕ字形状にＲ＝２〜５ｍｍ程度の丸みを持たせている。尚、第２の濾過フィルター２７ｂの第１の濾過フィルター２７ａと近接する側のひだには、特にくぼみ部分は持たせてない。
【００６０】
また、第２の濾過フィルター２７ｂであるひだ折り形状のフィルター４１の外部は、この上端および下端の数ｍｍ範囲のみ、樹脂やシール剤等でシールされているシール部４３を設け、上下方向からの通気性を遮断している。
【００６１】
以上のように構成された本実施の形態１の電気掃除機について、図６（ａ）、図６（ｂ）、図６（ｃ）を基に、その動作を説明する。
【００６２】
電動送風機２１を運転開始すると、吸引気流が発生し、吸込具９、延長管８、ホース７を通じて、空気とともに床面からの塵埃が集塵ケース５内に吸い込まれる。集塵ケース５内に吸い込まれた塵埃は吸引口６、屈曲部１２、第１の通風路１１を通じて旋回気流導入口１０に至る。
【００６３】
このとき、集塵ケース５の旋回気流導入口１０は、上述の様にケース上部２２ａの円筒断面に対して接線方向から気流が流入するように、偏心して設置されているため、図６（ａ）に示すように、旋回気流導入口１０より流入した気流は、集塵ケース５のケース上部２２ａにて旋回気流５０に変化する。
【００６４】
ここで、旋回気流導入口１０の下端は開口部２５の上端よりも上部に配置されているため、旋回気流導入口１０から流入する気流は旋回成分を持つとともに、下方向への成分も持つこととなる。そのため、集塵ケース５のケース上部２２ａで発生した旋回気流は、旋回しながら下降を続け、円筒状の濾過フィルター２７付近に到達する。
【００６５】
ここで円筒状の濾過フィルター２７の上流側の第１の濾過フィルター２７ａは、集塵ケース５内部に向けた突起物がないため、旋回気流５０の流れを止めることはなく、さらに、気流は旋回を続けながら、図６（ｂ）に示すように、第１の濾過フィルター２７ａ、第２の濾過フィルター２７ｂを順次通過し、第２の通風路３３を通って、電動送風機２１に吸引される。
【００６６】
ここで、吸引気流と一緒に吸引された塵埃は、気流の流れと共に旋回しながら円筒状の濾過フィルター２７に導かれ、この塵埃の内、砂塵などの細塵５１は、第１の濾過フィルター２７ａを通過し、外側の第２の濾過フィルター２７ｂで濾し取られる。
【００６７】
また、比重が軽く、風圧を受けやすい綿埃や糸状の塵埃などの粗塵５２は、旋回気流５０で容易に第１の濾過フィルター２７ａ表面上から剥離され、図６（ｂ）、図６（ｃ）に示すように、第１の濾過フィルター２７ａの円筒中空部で旋回を続けることとなる。
【００６８】
この作用により、第１の濾過フィルター２７ａは、気流による自浄作用が働いていることになるため、目詰まりすることなく、吸込力の低下を抑制する。さらに、吸引する塵埃量が増加していくと、粗塵５２は、第１の濾過フィルター２７ａ内を旋回しながら下降し、塵埃収容部２４に導かれる。
【００６９】
（実施の形態２）
次に本発明の実施の形態２について説明する。以下では、実施の形態１の構成、動作との相違点を中心に述べ、実施の形態１と同一要素については同一符号を付してその構成、動作の説明を省略する。
【００７０】
図７において第１の通風路１１を集塵ケース５の略円筒形状より突出させて設けている。
【００７１】
これにより、本実施の形態２においては、第１の通風路１１によって、第２の濾過フィルター２７ｂの一部に貫通する濾過フィルター風路とは独立した通風路を設ける必要がなくなるため、第２の濾過フィルター２７ｂが全周にわたって途切れることなく設けれることで、圧力損失を少なくすることができ、より吸引力が大きい電気掃除機を提供することができる。
【００７２】
なお、本実施の形態２では、第１の通風路１１が第２の濾過フィルター２７ｂとオーバーラップしていない場合を示したが、第１の通風路１１の一部が、濾過フィルター２７ｂに切り欠き程度にオーバーラップし、濾過フィルターの一部が途切れても、実施の形態１の構成に比べては圧力損失を少なくすることができるものである。
【産業上の利用可能性】
【００７３】
以上のように、本発明にかかる電気掃除機は、吸引口を下部に設けることにより方向転換するためにホースを左右に振ったときに本体が転倒することなくスムーズに方向転換することができる。また、第１の通風路を集塵ケース内に収めているため、集塵ケースが大型化することなく使用性が向上できるもので、家庭用電気掃除機だけでなく、業務用電気掃除機などさまざま種類の掃除機に使用することが可能となる。
【図面の簡単な説明】
【００７４】
【図１】本発明の実施の形態１における電気掃除機の全体図
【図２】同電気掃除機の本体要部の構成を示す断面図
【図３】（ａ）同電気掃除機の集塵ケースの正断面図（ｂ）同集塵ケースの側断面図（ｃ）（ｂ）のＡ−Ａ断面図（ｄ）（ｂ）のＢ−Ｂ断面図
【図４】同第１の濾過フィルターの構造を示す要部断面図
【図５】同電気掃除機の第２の濾過フィルターの要部断面図
【図６】（ａ）同電気掃除機の集塵ケースにおける吸引口付近の気流を示す平断面図（ｂ）同集塵ケースにおける濾過フィルター付近の気流の流れを示す平断面図（ｃ）同集塵ケースにおける縦方向の気流の流れを示す縦断面図
【図７】本発明の実施の形態２における集塵ケース要部断面図
【符号の説明】
【００７５】
１  掃除機本体
５  集塵ケース
６  吸引口
１０  旋回気流導入口
１１  第１の通風路
１２  屈曲部
２１  電動送風機
２３  塵埃分離部
２４  塵埃収容部
２７  濾過フィルター
２７ａ  第１の濾過フィルター
２７ｂ  第２の濾過フィルター
３３  第２の通風路
５０  旋回気流
【図１】
2010022506.tif 000003
【図２】
2010022506.tif 000004
【図３】
2010022506.tif 000005
【図４】
2010022506.tif 000006
【図５】
2010022506.tif 000007
【図６】
2010022506.tif 000008
【図７】
2010022506.tif 000009